(57)【要約】  【構成】  香り付きコンテンツ推薦システム(1)は、コンテンツサーバ(2)にネットワーク(3)を介して接続される情報処理装置(4)を含み、情報処理装置には、嗅覚ディスプレイ(10)が付属される。情報処理装置はカートリッジ名入力ＧＵＩを視聴覚ディスプレイ(5)に表示し、ユーザはそのＧＵＩを用いてカートリッジの使用状況を登録する。情報処理装置はカートリッジ名入力ＧＵＩに登録されたデバイス情報テーブル(112)を記憶する。そして、コンテンツサーバにログインするとき、情報処理装置は、嗅覚ディスプレイのデバイスＩＤとともに、カートリッジ‐ポート番号テーブル(114)を送る。サーバは、そのカートリッジ‐ポート番号テーブルを参照して、そのときの嗅覚ディスプレイによって再生可能な香り付きコンテンツを推薦して、情報処理装置に伝える。  【効果】  香り付きコンテンツを確実に推薦することができる。【選択図】  図１
2015125580.tif 000002
【特許請求の範囲】
【請求項１】
カートリッジ装着場所へ、香源を含むカートリッジを交換可能に装着し、カートリッジ内の香源から香り成分を噴射させることによって香りを出力できる嗅覚ディスプレイを使用するユーザに香り付きコンテンツを推薦するコンテンツ推薦システムであって、
嗅覚ディスプレイにおけるカートリッジの使用状況を嗅覚ディスプレイ毎に記憶する使用状況記憶手段、および
前記使用状況記憶手段に記憶されたカートリッジの使用状況に基づいて、嗅覚ディスプレイから出力可能な少なくとも１つの香りを含む香り付きコンテンツを推薦する推薦手段を備える、コンテンツ推薦システム。
【請求項２】
嗅覚ディスプレイを付設した情報処理装置および前記情報処理装置がアクセスできるサーバをさらに備え、
前記推薦手段は前記サーバに設けられ、前記情報処理装置はサーバにアクセスすることによって前記サーバから香り付きコンテンツの推薦を受ける、請求項１記載のコンテンツ推薦システム。
【請求項３】
１つの嗅覚ディスプレイに１つのデバイスＩＤが割り当てられ、前記使用状況記憶手段は、デバイスＩＤ毎に前記カートリッジの使用状況を記憶する、請求項２記載のコンテンツ推薦システム。
【請求項４】
前記使用状況記憶手段は前記サーバまたは前記情報処理装置のメモリに前記カートリッジの使用状況を記憶する、請求項２または３記載のコンテンツ推薦システム。
【請求項５】
前記カートリッジの使用状況は、前記情報処理装置が前記サーバにアクセスしたときの現在の使用状況を含み、
前記推薦手段は、前記現在の使用状況に基づいて香り付きコンテンツを推薦する、請求項２ないし４のいずれかに記載のコンテンツ推薦システム。
【請求項６】
前記カートリッジの使用状況は、過去の使用状況を含み、
前記推薦手段は、前記過去の使用状況に基づいて香り付きコンテンツを推薦する、請求項２ないし４のいずれかに記載のコンテンツ推薦システム。
【請求項７】
カートリッジ装着場所へ、香源を含むカートリッジを交換可能に装着し、カートリッジ内の香源から香り成分を噴射させることによって香りを出力できる嗅覚ディスプレイを使用するユーザに香り付きのコンテンツを推薦するコンテンツ推薦システムのコンピュータによって実行可能なコンテンツ推薦プログラムであって、前記コンピュータを、
嗅覚ディスプレイにおけるカートリッジの使用状況を嗅覚ディスプレイ毎に記憶する使用状況記憶手段、および
前記使用状況記憶手段に記憶されたカートリッジの使用状況に基づいて、嗅覚ディスプレイから出力可能な少なくとも１つの香りを含む香り付きコンテンツを推薦する推薦手段
として機能させる、コンテンツ推薦プログラム。
【発明の詳細な説明】
【技術分野】
【０００１】
この発明は香り付きコンテンツ推薦システムに関し、特にたとえば、嗅覚ディスプレイで再生可能な香り付きコンテンツを推薦する、香り付きコンテンツ推薦システムに関する。
【背景技術】
【０００２】
背景技術の一例が特許文献１に開示される。この特許文献１では、映画のような映像コンテンツを鑑賞する鑑賞者に対してシーンの切り替わりにタイミング良く匂いを提示する、匂い提示情報付き映像コンテンツの上映システムが開示されている。
【０００３】
また、背景技術の他の例が特許文献２に開示される。この特許文献２に開示される嗅覚ディスプレイは、時間的および空間的に限られた範囲に香りを提示する。
【０００４】
特に引用文献２では、カートリッジ収容室に対して香源カートリッジを着脱できるので、香源カートリッジを交換することによって香りを変更して楽しんだりできるだけでなく、香りを失った香源カートリッジを取り外して新しいものに交換したりできるので、便利である。
【先行技術文献】
【特許文献】
【０００５】
【特許文献１】特開２００６‐２９５３２１号公報[H04N 7/16]
【特許文献２】特許第５２８８５７３号公報[G09F 9/00, G09F 9/00, A61L 9/12]
【特許文献３】特開２０１３‐１６９４０号公報[H04M 1/00, 11/00]
【発明の概要】
【発明が解決しようとする課題】
【０００６】
香り付きコンテンツ製作者（以下、「エディタ」という。）は１つのコンテンツに対して、１種類以上の香りを付加する。他方、香り付きコンテンツの鑑賞者（以下、「ユーザ」という。)の手元にある嗅覚ディスプレイに装着可能なカートリッジの数は有限であり、エディタによってコンテンツに付加された香りがその嗅覚ディスプレイに装着されているとは限らない。コンテンツに付加された香りに対応するカートリッジが嗅覚ディスプレイに装着されていない場合、その香りを再生できない。
【０００７】
したがって、ユーザは自分の手元にある嗅覚ディスプレイで再生可能なコンテンツを、膨大に存在するコンテンツの中から自ら探し出す必要がある。しかし、これはユーザにとって困難であり面倒でもある。したがって、ユーザが自分の嗅覚ディスプレイを用いて再生可能な香り付きコンテンツを自動で推薦するシステム（香り付きコンテンツ推薦システム）が必要である。
【０００８】
香り付きコンテンツ推薦システムを実現するために、香源カートリッジの格納状況を自動で検知し、その検知結果を基に、香り付きコンテンツを推薦する手法が考えられる。香源カートリッジの装着状況を検知するには、香源カートリッジにたとえばタグを組み込んでおき、他方、嗅覚ディスプレイにはそのタグを読み取るための機構を設けておき、嗅覚ディスプレイではそのタグを読取ることによって、そのとき嗅覚ディスプレイにどの種類の香源カートリッジが格納されているかを検知できるようにする方式が考えられる（特許文献３を参照）。
【０００９】
しかしながら、香源カートリッジにタグを設けたり、嗅覚ディスプレイに読み取り機構を設けたりすることは、香源カートリッジや嗅覚ディスプレイが複雑、高価になってしまうという問題がある。
【００１０】
それゆえに、この発明の主たる目的は、新規な、香り付きコンテンツ推薦システムを提供することである。
【００１１】
この発明の他の目的は、ユーザの手元にある嗅覚ディスプレイで再生可能な香り付きコンテンツを推薦できる、香り付きコンテンツ推薦システムを提供することである。
【課題を解決するための手段】
【００１２】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【００１３】
第１の発明は、カートリッジ装着場所へ、香源を含むカートリッジを交換可能に装着し、カートリッジ内の香源から香り成分を噴射させることによって香りを出力できる嗅覚ディスプレイを使用するユーザに香り付きのコンテンツを推薦するコンテンツ推薦システムであって、嗅覚ディスプレイにおけるカートリッジの使用状況を嗅覚ディスプレイ毎に記憶する使用状況記憶手段、および使用状況記憶手段に記憶されたカートリッジの使用状況に基づいて、嗅覚ディスプレイから出力可能な少なくとも１つの香りを含む香り付きコンテンツを推薦する推薦手段を備える、コンテンツ推薦システムである。
【００１４】
第１の発明では、嗅覚ディスプレイ（10：実施例で相当する部分を例示する参照符号。以下同じ。）は、カートリッジ収容室のようなカートリッジ装着場所を有し、そのカートリッジ装着場所へ、内部に香源を有するカートリッジ（14）を交換（着脱）可能に装着し、たとえば、圧電素子で駆動される風力源を利用して、カートリッジの中から香り成分を噴射させる。使用状況記憶手段（4,100,114: 2,130,140）は、そのような嗅覚ディスプレイにおけるカートリッジの使用状況、たとえば複数のカートリッジ装着場所にそれぞれ異なる香源のカートリッジが装着されている場合、カートリッジ装着場所とカートリッジとの対応関係を示す情報を記憶する。推薦手段（2,S23,S25）は、カートリッジの使用状況を参照して、そのときの嗅覚ディスプレイによって出力可能な少なくとも１つの香りを香り情報として有する香り付きコンテンツを探索して、嗅覚ディスプレイを利用するユーザに推薦する。
【００１５】
第１の発明によれば、推薦手段は、嗅覚ディスプレイにおけるカートリッジの使用状況に基づいて香り付きコンテンツを探索するので、嗅覚ディスプレイから出力可能な香りの香り情報を有する香り付きコンテンツを確実に推薦することができる。
【００１６】
第２の発明は、第１の発明に従属し、嗅覚ディスプレイを付設した情報処理装置および情報処理装置がアクセスできるサーバをさらに備え、推薦手段はサーバに設けられ、情報処理装置はサーバにアクセスすることによってサーバから香り付きコンテンツの推薦を受ける、コンテンツ推薦システムである。
【００１７】
第２の発明は、コンテンツ推薦システムは、サーバ（2）とネットワークを介してサーバにアクセスする情報処理装置（4）を含むいわゆるクライエント‐サーバシステムとして構成される。サーバ（2）が推薦手段を構成するので、情報処理装置（4）はサーバ（2）にアクセスすることによって、サーバ（2）から香り付きコンテンツの推薦を受ける。
【００１８】
第２の発明によれば、サーバに情報処理装置がアクセスすることによって、サーバからの香り付きコンテンツの推薦を情報処理装置が受けられる。
【００１９】
第３の発明は、第２の発明に従属し、１つの嗅覚ディスプレイに１つのデバイスＩＤが割り当てられ、使用状況記憶手段は、デバイスＩＤ毎にカートリッジの使用状況を記憶する、コンテンツ推薦システムである。
【００２０】
第３の発明では、１つの嗅覚ディスプレイに１つのデバイスＩＤが割り当てられ、カートリッジの使用状況はデバイスＩＤ毎に記憶される。嗅覚ディスプレイ毎に、確実に香り付きコンテンツを推薦することができる。
【００２１】
第３の発明によれば、デバイスＩＤ毎に、すなわち、嗅覚ディスプレイ毎にカートリッジの使用状況を記憶するため、１台の嗅覚ディスプレイがユーザが使用する情報処理を含む複数の情報処理装置に共用されたり、ユーザが使用する１台の情報処理装置に複数の嗅覚ディスプレイが付設されたりしたときでも、ユーザに対して確実に香り付きコンテンツを推薦することができる。
【００２２】
第４の発明は、第２または第３の発明に従属し、使用状況記憶手段はサーバまたは情報処理装置のメモリにカートリッジの使用状況を記憶する、コンテンツ推薦システムである。
【００２３】
つまり、カートリッジの使用状況のデータは、サーバのメモリだけに記憶されていてもよく、あるいは情報処理装置のメモリにだけ記憶されていてもよい。または、両方のメモリにそれぞれ記憶されていてもよい。
【００２４】
第５の発明は、第２ないし第４の発明のいずれかに従属し、カートリッジの使用状況は、情報処理装置がサーバにアクセスしたときの現在の使用状況を含み、推薦手段は、現在の使用状況に基づいて香り付きコンテンツを推薦する、コンテンツ推薦システムである。
【００２５】
第５の発明によれば、現在のカートリッジの使用状況に基づいて香り付きコンテンツを推薦するので、そのとき嗅覚ディスプレイから出力可能な香りを含む香り付きコンテンツを確実に推薦できる。
【００２６】
第６の発明は、第２ないし第４の発明のいずれかに従属し、カートリッジの使用状況は、過去の使用状況を含み、推薦手段は、過去の使用状況に基づいて香り付きコンテンツを推薦する、コンテンツ推薦システムである。
【００２７】
第６の発明によれば、過去のカートリッジの使用状況に基づいて香り付きコンテンツを推薦するので、嗅覚ディスプレイから出力可能な香りを含むであろう香り付きコンテンツを推薦できる。
【００２８】
第７の発明は、カートリッジ装着場所へ、香源を含むカートリッジを交換可能に装着し、カートリッジ内の香源から香り成分を噴射させることによって香りを出力できる嗅覚ディスプレイを使用するユーザに香り付きのコンテンツを推薦するコンテンツ推薦システムのコンピュータによって実行可能なコンテンツ推薦プログラムであって、コンピュータを、嗅覚ディスプレイにおけるカートリッジの使用状況を嗅覚ディスプレイ毎に記憶する使用状況記憶手段、および使用状況記憶手段に記憶されたカートリッジの使用状況に基づいて、嗅覚ディスプレイから出力可能な少なくとも１つの香りを含む香り付きコンテンツを推薦する推薦手段として機能させる、コンテンツ推薦プログラムである。
【発明の効果】
【００２９】
この発明によれば、嗅覚ディスプレイやそこに用いるカートリッジを複雑、高価にすることなく、嗅覚ディスプレイから出力可能な香りを要する香り付きコンテンツを適切に推薦することができる。
【００３０】
この発明の上述の目的、その他の目的、特徴および利点は、図面を参照して行う後述の実施例の詳細な説明から一層明らかとなろう。
【図面の簡単な説明】
【００３１】
【図１】図１はこの発明の一実施例であるコンテンツ推薦システムを示すブロック図である。
【図２】図２は図１のコンテンツ推薦システムにおけるユーザ側の構成の一例を示す図解図である。
【図３】図３は図１および図２に示す嗅覚ディスプレイを示す外観図である。
【図４】図４は図３に示す嗅覚ディスプレイの前面方向から見た内部構造を概略的に示す図解図である。
【図５】図５は図３に示す嗅覚ディスプレイの側面方向から見た内部構造を概略的に示す断面図であり、図４のＶ‐Ｖ線における断面を示す。
【図６】図６は図３に示す嗅覚ディスプレイが備えるディスプレイ本体の外観を示す斜視図である。
【図７】図７は図６に示すディスプレイ本体のカバーを開口した様子を示す図解図である。
【図８】図８は図６に示すディスプレイ本体の前面方向から見た内部構造を概略的に示す断面図である。
【図９】図９は図６に示すディスプレイ本体の側面方向から見た内部構造を概略的に示す断面図である。
【図１０】図１０は図３に示す嗅覚ディスプレイが備える風力源を対角線方向に切断したときの断面を示す断面図である。
【図１１】図１１は図３に示す嗅覚ディスプレイが備える動作音抑制部を厚さ方向と直交する方向に切断したときの断面を示す断面図である。
【図１２】図１２は図３の嗅覚ディスプレイに用いられる香源カートリッジの外観を示す斜視図である。
【図１３】図１３は図１２の香源カートリッジの前面方向から見た外観を示す図解図である。
【図１４】図１４は図１に示すコンテンツ推薦システムの情報処理装置に設けられるメモリの構成の一例を示すメモリマップである。
【図１５】図１５はカートリッジ名入力ＧＵＩの一例を示す図解図である。
【図１６】図１６は情報処理装置においてユーザが嗅覚ディスプレイの使用状況を登録するときの動作の一例を示すフロー図である。
【図１７】図１７は情報処理装置が記憶するデバイス情報テーブルの一例を示す図解図である。
【図１８】図１７は情報記憶装置が記憶して、ログイン時にサーバに送るカートリッジ‐ポート番号テーブルの一例を示す図解図である。
【図１９】図１９は図１に示すコンテンツ推薦システムのサーバに設けられるメモリの構成の一例を示すメモリマップである。
【図２０】図２０は図１に示すコンテンツ推薦システムの情報処理装置がサーバにログインしたときのサーバの動作の一例を示すフロー図である。
【図２１】図２１は図１に示すコンテンツ推薦システムの情報処理装置が嗅覚ディスプレイから香りを噴射させる動作の一例を示すフロー図である。
【発明を実施するための形態】
【００３２】
図１を参照して、この発明の一実施例であるコンテンツ推薦システム１は、コンテンツサーバ（以下、単に「サーバ」と呼ぶ。）２を含み、サーバ２には、インターネットのようなネットワーク３を介して、複数の情報処理装置４１、４２、…４ｎがアクセス可能である。情報処理装置４１、４２、…４ｎは、一般的なパソコンであってもよしい、スマートフォンやタブレットＰＣのような携帯情報端末であってよい。そして、情報処理装置４１、４２、…４ｎには後に詳述する嗅覚ディスプレイ１０１、１０２、…１０ｎがそれぞれ接続される。以下、情報処理装置４１、４２、…４ｎを区別する必要がない場合には、単に情報処理装置４といい、嗅覚ディスプレイ１０１、１０２、…１０ｎを区別する必要がない場合には、単に嗅覚ディスプレイ１０ということにする。
【００３３】
ただし、図１の実施例では、１台の情報処理装置４に１台の嗅覚ディスプレイ１０が付設されているが、情報処理装置に付設される嗅覚ディスプレイの数は１台に限るものではなく、２台以上の嗅覚ディスプレイが１台の情報処理装置に付設されてもよいし、１台の嗅覚ディスプレイを２台以上の情報処理装置で共用するようにしてもよい。サーバ２は、情報処理装置を通して各嗅覚ディスプレイ（デバイス）の状態を個別に管理する。
【００３４】
図１に示す嗅覚ディスプレイ１０は、映像や音を含む香り付きコンテンツを再生するときに香りを出力する装置である。この実施例では、図２に示すように、嗅覚ディスプレイ１０を情報処理装置４および視聴覚ディスプレイ５と連動させて使用する。後述するように、情報処理装置４は、サーバ２によって推薦された香り付きコンテンツを再生して映像や音声を視聴覚ディスプレイ５から出力するとともに、当該香り付きコンテンツに含まれる香り情報（アロマコード：aroma code）に従って嗅覚ディスプレイ１０から香りを出力させる。
【００３５】
なお、図３に示すように、視聴覚ディスプレイ１０は、たとえば、香りを噴射する噴射口１６がユーザの顔の方向を向くように、三脚１００に取り付けられてユーザの周囲に設置されたりする。
【００３６】
図４は、嗅覚ディスプレイ１０の前面方向から見た内部構造を概略的に示す図解図であり、後述する噴射板３４を省略して嗅覚ディスプレイ１０の内部の様子を示すものである。また、図５は、図４のＶ‐Ｖ線において切断した嗅覚ディスプレイ１０の断面図であり、嗅覚ディスプレイ１０の側面方向から見た内部構造を概略的に示している。
【００３７】
図４および図５に示すように、嗅覚ディスプレイ１０は、ディスプレイ本体１２およびその内部に着脱可能に収容される複数の香源カートリッジ（以下、単に「カートリッジ」ということもある。）１４を備える。この実施例では、ディスプレイ本体１２には、周方向に並ぶように６つのカートリッジ１４が収容される。ただし、ディスプレイ本体１２に対して同時に収容可能なカートリッジ１４の数（後述するカートリッジ収容室２４の数）は、特に限定されない。
【００３８】
以下、嗅覚ディスプレイ１０の構成について具体的に説明する。図６‐図9に示すように、ディスプレイ本体１２は、その外殻を構成する筐体２０、および筐体２０の内部空間を隔壁２２で区画することによって形成される複数のカートリッジ収容室２４を備える。また、カートリッジ収容室２４のそれぞれには、隔壁２２内に密着配置された風力源２６および動作音抑制部２８が設けられる。
【００３９】
筐体２０は、ベース部３０、側壁３２、および噴射板３４を含み、アクリル樹脂等の適宜な材料によって中空の６角柱状に形成される。
【００４０】
ベース部３０は、正６角板状に形成され、筐体２０の後方側（ユーザとは逆側）に配置される。ベース部３０の周縁部には、側壁３２が設けられている。側壁３２は、ベース部３０の周縁部角部のそれぞれに連なるホルダ３２ａと各ホルダ３２ａ間に設けられるスライドカバー３２ｂとによって６角筒状に形成される。ホルダ３２ａの側面には、スライド溝３６が形成されており、このスライド溝３６にスライドカバー３２ｂの側面に形成される突起部（図示せず）が嵌め込まれる。これによって、スライドカバー３２ｂは、ホルダ３２ａ間を滑動可能とされる。後述するように、ホルダ３２ａ間の開口のそれぞれは、カートリッジ収容室２４のカートリッジ交換口３８として機能し、スライドカバー３２ｂは、このカートリッジ交換口３８の開閉に利用される。また、スライドカバー３２ｂは、カートリッジ１４をカートリッジ収容室２４内に収容したときに、カートリッジ１４の挿入方向後端と当接し、カートリッジ１４を挿入方向に押す作用を奏する。
【００４１】
側壁３２の前端部、つまり筐体２０の前方側には、噴射板３４が設けられている。噴射板３４は、正６角板状に形成され、側壁３２の端部開口を覆う。噴射板３４の中央部には、ドーム型の突起部４０が設けられ、この突起部４０の中央部を貫通するように、噴射板３４の厚み方向に延びる連通孔４２が形成される。この連通孔４２は、前方側に向かうに従い縮径されるテーパ状の縮径部を有し、その前方部分は直管状に形成される。突起部４０の先端開口が噴射口１６として機能し、連通孔４２は、噴射口１６と各カートリッジ収容室２４とを連通させる。
【００４２】
また、筐体２０の適宜な位置には、三脚１００を取り付けるためのねじ穴４４が形成される。
【００４３】
また、筐体２０の内部空間は、対向するホルダ３２ｂ同士を連結する放射状の隔壁２２によって区画され、筐体１２内には、周方向に並ぶ正３角柱状の６つのカートリッジ収容室２４が形成される。すなわち、カートリッジ収容室２４の内側面は、筐体２０の中心側に向かって収束する（つまり後述するカートリッジ１４の挿入方向に対して内向きに傾斜する）２つの傾斜面４６を有している。また、各隔壁２２の連結部分である中心軸４８は、６角柱状に形成され、ベース部３０から突出してその先端部は連通孔４２内まで延びている。中心軸４８の先端部は、外周面に溝状の切欠きを形成した先細り形状とされ、後述するカートリッジ１４の香気出口８８から吐出される香気を噴射口１６方向に導くガイド部として機能する。これによって、香気の逆流や他のカートリッジ１４内への香気の浸入が防止される。
【００４４】
各カートリッジ収容室２４には、噴射板３４に形成される連通孔４２を介して噴射口１６と連通する空気送出口５０が形成される。また、各カートリッジ収容室２４には、スライドカバー３２ｂによって開閉可能なカートリッジ交換口３８が形成される。
【００４５】
さらに、各カートリッジ収容室２４には、隔壁２２に密着して風力源２６が設けられる。この風力源２６は、隔壁２２内に配置され（つまり筐体２０内に放射状に配置され）、隔壁２２の一部を構成する。風力源２６の中央部に設けられたノズル５２は、カートリッジ収容室２４内と連通し、カートリッジ収容室２４に収容されたカートリッジ１４内に空気を流入させる空気供給口５４として機能する。
【００４６】
図１０は、風力源２６を対角線方向に切断したときの断面を示す。風力源２６は、圧電素子（ピエゾ素子）５６を貼り付けたダイヤフラム５８を備えており、圧電素子５６に高周波の交番電圧（正弦波電圧または矩形波電圧）やパルス電圧を印加することによって、ダイヤフラム５８を板厚方向に高速で屈曲振動させて、空気の流れを発生させる圧電式のものである。
【００４７】
以下、風力源２６の動作について簡単に説明する。風力源２６では、円板状の圧電素子５６を貼り付けたダイヤフラム５８の約２６ｋＨｚの振動に伴い、ポンプ室６０の中心部に設けられた通気孔６２から、空気の吸引と吐出が繰り返される。吸引時に吸入流路６４からポンプ室６０に取り込まれた空気は、吐出時には通気孔６２と同軸に配置された天板６６上のノズル５２を通過し、ノズル５２内のテーパ管路で膨張して吐出される。このとき、通気孔６２とノズル５２との間の空間には、ベンチュリ効果により負圧部が生じるため、吸入流路６２の空気は継続して吸引される。これによって、吸入流路６２からノズル５２へ向かう連続したポンプ動作が得られる。
【００４８】
このように圧電素子５６で駆動する風力源（圧電式の風力源）２６は、ブロアファンやスクロールブロアのような回転機構では無いため、小型化および低背化が可能であり、消費電力も小さい。また、事実上無振動の上、短時間で高い静圧を生成できる特徴を有する。
【００４９】
図８に戻って、風力源２６の裏側（空気流路の上流側）には、風力源２６の動作音（ダイヤフラム５８の振動音）の外部への漏れを抑制するための平板状の動作音抑制部２８が設けられる。この動作音抑制部２８も、隔壁２２の一部を構成する。動作音抑制部２８は、アクリル樹脂等の適宜な材料によって形成され、ダイヤフラム５８の裏側に空洞部を形成する。なお、動作音抑制部２８の外気口７０は、ベース部３０の周縁部に形成される外気吸入口７４を介して筐体２０の外部と連通する。
【００５０】
図１１は、動作音抑制部２８を厚さ方向と直交する方向に切断したときの断面を示す。図１１に示すように、動作音抑制部２８の側壁６８には、風力源２６の作動時に外気を吸入するための外気口７０が形成されており、動作音抑制部２８の内部は、Ｃ字状の仕切壁７２によって仕切られている。これによって、風力源２６の動作音は、迷路状の空気通路を遠回りするようにして外気口７０に到達するので、外気口７０からの動作音の漏れが抑制される。
【００５１】
また、図８および図９に戻って、ベース部３０内には、補助風力源７６が設けられる。補助風力源７６は、各カートリッジ収容室２４から独立して設けられるものであり、香気の加速、香気成分の濃度調整および消臭などに利用される。補助風力源７６としては、風力源２６と同様のもの、すなわち、圧電素子を貼り付けたダイヤフラムを備え、圧電素子に対して高周波の交番電圧が印加されるとダイヤフラムを高速振動させて空気流を発生させるものを用いるとよい。この補助風力源７６の裏側にも、動作音抑制部２８が適宜設けられる。
【００５２】
また、中心軸４８内には、補助風力源７６のノズルから吐出された空気（無臭の空気）の通り道となる補助通路７８が形成される。補助通路７８は、補助風力源７６のノズルと連通孔４２とを直線的に連通させる貫通孔であり、連通孔４２を介して噴射口１６まで直線的に延びる。補助風力源７６が作動されると、補助風力源７６のノズルから補助通路７８内に無臭の空気が吐出される。この無臭の空気は、複雑な経路を辿ることなく噴射口１６まで直行するので、圧力低下をほぼ発生させることなく噴射口１６から噴射される。
【００５３】
このようなディスプレイ本体１２のカートリッジ収容室２４内には、カートリッジ１４が着脱可能に収容される。図１２および図１３に示すように、カートリッジ１４は、ポリエチレン或いはポリプロピレンなどの合成樹脂等によって形成される容器本体８０を備える。容器本体８０は、カートリッジ収容室２４の内面形状に隙間なく沿う外面形状を有するように、中空の正３角柱状に形成される。容器本体８０には、カートリッジ１４をカートリッジ収容室２４内に収容した際に、カートリッジ収容室２４の空気供給口５４に対向する位置に、吸気口８２が形成される（図５参照）。すなわち、容器本体８０の外側面は、カートリッジ１４の挿入方向に対して収束する２つの傾斜面８４を有しており、その一方の傾斜面８４に吸気口８２が形成される。
【００５４】
また、容器本体８０には、カートリッジ収容室２４の空気送出口５０に対向する位置に、香気出口８８が形成される（図３および図４参照）。香気出口８８のそれぞれは、連通孔４２を介して噴射口１６にほぼ直線状に連通するため、香気出口８８から送出される香気は、その勢いを低減することなく噴射口１６から噴射される。また、カートリッジ１４から送出された香気が接触するディスプレイ本体１２の内部経路は、噴射板３４の連通孔４２のみであるので、ディスプレイ本体１２に対する香気成分の付着はほとんど生じない。なお、吸気口８２および香気出口８８の径は小さいので、風力源２６を作動させないときには、カートリッジ１４からの香りの漏れはほとんど発生しない。
【００５５】
容器本体８０の内部には、固形状の香源９０が収容される。固形状の香源９０は、たとえば、粒状の多孔質体に液体香料を染み込ませて（含浸させて）、多孔質体の外表面および細孔内に液体香料を保持させることによって製作される。香料としては、天然香料、合成香料、およびそれらの調合香料が適宜使用できる。多孔質体としては、ケイ酸カルシウムなどの粒状体を適宜利用できる。多孔質体の粒径および形状は特に限定されない。このように固形状の香源９０を用いることによって、香源９０から香料（香り成分）を徐々に放出させることができる。
【００５６】
カートリッジ１４をディスプレイ本体１２のカートリッジ収容室２４内に収容する際には、スライドカバー３２ｂを開状態にし、カートリッジ交換口３８から中心軸４８方向にカートリッジ１４を押し込むようにしてカートリッジ収容室２４内に収容する。その後、スライドカバー３２ｂを閉状態にすることにより、カートリッジ１４（容器本体８０）の挿入方向後端側をスライドカバー３２ｂによって抑える。したがって、ディスプレイ本体１２の空気供給口５４とカートリッジ１４の吸気口８２との接続部分は密着性が高まって適切に密着する。
【００５７】
また、カートリッジ収容室２４およびカートリッジ１４が挿入方向に対して内向きに傾斜する傾斜面４６，８４を有することから、カートリッジ収容室２４の入口部分（つまりカートリッジ交換口３８）がカートリッジ１４の挿入方向前方側の部分より大きくなる。このため、カートリッジ収容室２４内にカートリッジ１４を挿入し易い。
【００５８】
このような構成の嗅覚ディスプレイ１０においては、目的の香源９０を収容したカートリッジ１４に対応する風力源２６の圧電素子５６に対して交番電圧を印加すると、ダイヤフラム５８が高速で屈曲振動され、外気吸入口７４から外気が吸引されると共に、風力源２６のノズル５２（空気供給口５４）から吸気口８２を介してカートリッジ１４内に高速かつ高圧の空気が送り込まれる。カートリッジ１４内の空気には、香源９０から揮発した気体状の香り成分が含まれており、その香り成分を含む空気（香気）は、香気出口８８から連通孔４２内に吐出される。
【００５９】
同時に、またはタイミングをずらせて、補助風力源７６を作動させる。補助風力源７６のノズルから吐出された無臭の空気は、直線状の補助通路７８内を通って噴射口１６まで直行する。香気出口８８から連通孔４２内に吐出された香気は、補助風力源７６から吐出された無臭の空気と連通孔４２内で合流して加速され、パソコンからの指示信号に対して殆どの時間的な遅れなしに噴射口１６から勢いよく直進性を持って噴射される。そして、圧電素子５６に対する交番電圧の印加が停止されると、噴射口１６からの香気の噴射も瞬時に停止される。
【００６０】
この実施例では６つのカートリッジ収容室２４を備え、連通孔４２を介して１つの噴射口１６から香気を噴射するようにしている。このため、６種類の香りを個別に提示できるのはもちろんのこと、各カートリッジ収容室２４の風力源２６を同時に或いは時間をずらせて作動させることにより、香りを調合して提示できる。たとえば、各カートリッジ収容室２４に収容されるカートリッジ１４の香源９０をＡ、Ｂ、Ｃ、Ｄ、Ｅ、Ｆとすると、「Ａ+Ｂ、Ａ+Ｃ、…、Ｅ+Ｆ、…、Ｂ+Ｃ+Ｄ+Ｅ+Ｇ、Ａ+Ｂ+Ｃ+Ｄ+Ｅ+Ｇ」というように、多種類の香りを調香して提供できる。また、各風力源２６の入力信号のデューティ比を調整すること等によって、香りを調合する割合を適宜変化させることもできる。
【００６１】
ここまでで、この発明で用いられ得る嗅覚ディスプレイ１０の一例を必要な範囲で説明したが、この発明で利用可能な嗅覚ディスプレイは上で説明した実施例の嗅覚ディスプレイ１０に限られない。１つのまたは２以上のポートすなわちカートリッジ収容室（カートリッジ装着場所）に対してカートリッジを着脱できる嗅覚ディスプレイであればよい。この記述があるので、使用する嗅覚ディスプレイは実際のものである必要は一切ありません。
【００６２】
ただし、以下に説明する実施例は、上述の実施例の嗅覚ディスプレイ１０を利用するものとする。
（以下大幅に訂正していますので、通して再読ください。）
また、デバイス情報テーブル１１２とは別にハッシュテーブルであるカートリッジ‐ポート番号テーブル１１４を用いる理由がよくわかりませんでしたので、下記の適宜箇所に加入してください。
【００６３】
図１に示す情報処理装置４はコンピュータであり、したがって、ＨＤＤやフラッシュメモリ、ＲＡＭのようなメモリを内蔵または付設している。図１４がそのようなメモリの構成の一例を示すメモリマップである。
【００６４】
情報処理装置４に内蔵されるかあるいは外部に設けられたメモリ１００は、プログラム記憶領域１０２を含み、このプログラム記憶領域１０２には、基本ソフトであるＯＳ（Operating System）１０４の他、デバイス情報管理プログラム１０６などを含む。デバイス情報管理プログラム１０６はユーザに、付設の嗅覚ディスプレイ１０の使用状況（たとえば、各カートリッジ収容室にどのカートリッジが装着または装填されているか）を登録させたり、登録したデータを記憶したりするためのプログラムである。
【００６５】
メモリ１００のデータ記憶領域１０８には、ユーザに嗅覚ディスプレイ１０の使用状況を登録させるために、たとえば図１５に示すようなカートリッジ名入力ＧＵＩ１１６を表示するためのデータである。
【００６６】
図１５に示すカートリッジ名入力ＧＵＩ（ＧＵＩ）１１６には、たとえば図８に示すカートリッジ収容室２４を想起させる正６角形を６つの区画に仕切った図形のポート番号表示部１１８が形成されるとともに、ポート番号とカートリッジ名とを対応付けて表示する入力部１２０が形成される。ユーザは、まず、マウス（図示せず）などのポインティングデバイスを用いてポート番号表示部１１８のポート番号を指定する。そうすると、入力部１２０における該当のポート番号にカートリッジ名を入力可能な状態になる。そこで、ユーザはプルダウンメニュー１２２によって、そのポート番号が示す入力欄に、カートリッジのカートリッジ名を入力する。プルダウンメニュー１２２を用いず、ユーザにたとえばキーボード（図示せず）などから直接入力させるようにしてもよいが、プルダウン方式にすると、ユーザが違っても、入力されるカートリッジ名が各デバイスについて統一できるという利点がある。
【００６７】
データ記憶領域１０８にはさらに、図１７に示すデバイス情報テーブル１１２および図１８に示すカートリッジ‐ポート番号テーブル１１４が記憶される。
【００６８】
図１の実施例のコンテンツ推薦システム１において、たとえばＵＳＢポートを利用して、情報処理装置４に嗅覚ディスプレイ１０が接続されたとき、デバイス情報管理プログラム１０６に従って、たとえば図１６の動作が情報処理装置４のコンピュータまたはプロセサ（図示せず）によって実行される。ただし、以下の説明では、便宜上、情報処理装置４が図１６の各ステップを実行するように記述する。
【００６９】
図１６のステップＳ１においては、情報処理装置４は、接続されている嗅覚ディスプレイ１０からそれのデバイスＩＤを取得する。デバイスＩＤは、各嗅覚ディスプレイ１０に予め付与されている識別番号であり、嗅覚ディスプレイ１０を情報処理装置４に接続している状態で、情報処理装置４は嗅覚ディスプレイ１０からデバイスＩＤを取得することができる。したがって、このステップＳ１において、情報処理装置４は嗅覚ディスプレイ１０から、デバイスＩＤを取得する。このようにデバイスＩＤを取得する理由は、１台の情報処理装置に２台以上の嗅覚ディスプレイが接続されたり、１台の嗅覚ディスプレイを２台以上の情報処理装置で共用したりする場合があり、そのような場合においても、嗅覚ディスプレイを確実に特定できるようにするためである。
【００７０】
次のステップＳ３において、情報処理装置４は、ステップＳ１で取得したデバイスＩＤのレコードがメモリ１００のデータ記憶領域１０８にデバイス情報テーブル１１２（図１７）として存在するかどうか判断する。
【００７１】
デバイス情報テーブル１１２は、デバイス情報管理プログラム１０６によって作成されるテーブルであって、図１のコンテンツ推薦システム１に含まれる嗅覚ディスプレイ（デバイス）１０１，…１０ｎ毎に、ポート番号とカートリッジ名の対応関係（カートリッジの使用状況）を記憶したテーブルである。デバイス情報テーブル１１２は、図１７に示すようなデータ形式であり、先頭に記述されたデバイスＩＤが示す嗅覚ディスプレイの各ポート（カートリッジ収容室）に何の香源のカートリッジが収容または装填されているかを示す。具体的には、各嗅覚ディスプレイには現在ポート番号１‐６（図面では丸付き数字で示す。）のそれぞれにどの種類の香源のカートリッジが装着されているかをアロマコードで登録しているテーブルである。アロマコードとは、たとえば、バナナ、りんご、バニラ、オレンジなどの香り（または香りの種類）毎に固有の番号（コード）を割り当てたものである。
【００７２】
該当するデバイスＩＤのレコードが存在するときステップＳ３で“ＹＥＳ”が判断され、存在しないとき“ＮＯ”が判断される。
【００７３】
ステップＳ３において“ＹＥＳ”のとき、次のステップＳ５において、情報処理装置４は、前回の作成時または更新時の内容で後述のカートリッジ‐ポート番号テーブル１１４（図１８）を初期化する。ただし、ステップＳ３において“ＮＯ”のときには、情報処理装置４は、ステップＳ７において、カートリッジ名を空白としてカートリッジ‐ポート番号テーブル１１４を初期化する。
【００７４】
ここで、情報処理装置４は、図１８に示すようなデータ形式のハッシュテーブルをデバイス情報管理プログラム１０６に従って作成し、これを前回の登録内容で初期化する。このハッシュテーブルを利用することによって、指定したカートリッジが装填されているポートの風力源２６を動作可能としている。このハッシュテーブルをカートリッジ‐ポート番号テーブル１１４と呼ぶ。このカートリッジ‐ポート番号テーブル１１４においても、カートリッジ名としてはアロマコードが記述される。ただし、図１８の例は、第１番および第４番のポートにりんごのカートリッジが装着され、第２番のポートにバナナのカートリッジが装着されていることを示す。
【００７５】
ステップＳ５またはＳ７の後、ステップＳ９において、情報処理装置４は、ステップＳ５またはＳ７において初期化した内容で、図１５に示すカートリッジ名入力ＧＵＩ１１６の初期値を設定し、ステップＳ１１においてそのカートリッジ名入力ＧＵＩ１１６を視聴覚ディスプレイ５(図２)に表示する。
【００７６】
ただし、前回の内容でカートリッジ名入力ＧＵＩが初期化される（ステップＳ５）ので、更新時には、必要なポート番号だけを指定してカートリッジ名を書き換えればよい。初期登録時には、もちろんカートリッジ１４を装着したすべてのポート番号の入力欄にカートリッジ名を入力する必要がある。ただし、カートリッジ名を入力するとき、カートリッジ名入力ＧＵＩ１１６の画面上では具体的なカートリッジ名が表示されるが、データとしてはアロマコードが入力（記述）される。
【００７７】
そして、各ポート番号に対応してカートリッジ名を入力する都度、またはポート番号１からポート番号６までのすべてのポートに対してカートリッジ名を入力したとき、ソフトウェアキーである登録ボタン１２４を操作すると、各ポート番号へのカートリッジ名の入力が確定される。
【００７８】
したがって、ステップＳ１３において、情報処理装置４は、登録ボタン１２４が操作されたかどうか判断する。ただし、１つのカートリッジ名を入力する都度登録ボタン１２４を操作して確定する実施例の場合には、最後のカートリッジ名を入力したときの登録ボタン１２４の操作の有無を判断するようにすればよい。
【００７９】
カートリッジ名入力ＧＵＩ１１６を用いてカートリッジ名の入力が確定したとき、次のステップＳ１５において、情報処理装置４は、データ記憶領域１０８のカートリッジ‐ポート番号テーブル１１４を入力したカートリッジ名に従って更新するとともに、ステップＳ１７において、更新後のカートリッジ‐ポート番号テーブル１１４の内容に基づいてデバイス情報テーブル１１２を更新して、図１６の動作を終了する。
【００８０】
情報処理装置４で香り付きコンテンツを再生しようとするとき、嗅覚ディスプレイ１０が情報処理装置４に接続されるので、実施例では、図１６の動作は、嗅覚ディスプレイ１０が情報処理装置４に接続されたとき実行される。しかしながら、もし嗅覚ディスプレイ１０が常時情報処理装置４に接続されている場合には、嗅覚ディスプレイ１０の電源を投入したとき、または情報処理装置４の電源を投入したときに図１６の動作を実行するようにしてもよい。
【００８１】
図１に示すサーバ２はコンピュータであり、したがって、ＨＤＤやフラッシュメモリ、ＲＡＭのようなメモリを内蔵または付設している。図１９がそのようなメモリの構成の一例を示すメモリマップである。
【００８２】
サーバ２に内蔵されるかあるいは外部に設けられたメモリ１３０は、プログラム記憶領域１３２を含み、このプログラム記憶領域１３２には、基本ソフトであるＯＳ（Operating System）１３４の他、コンテンツ推薦プログラム１３６などを含む。
【００８３】
コンテンツ推薦プログラム１３６は、情報処理装置４がこのサーバ２ログインしたときに情報処理装置４に香り付きコンテンツを推薦するためのプログラムである。ただし、香り付きコンテンツとは、映像および／または音声のデータの他に、上述のアロマコードを香り情報として含むコンテンツのことである。詳しくいうと、香り付きコンテンツに含まれる香り情報は、出力すべき香り（香料ないし香源）の種類（アロマコード）、出力させたい香りの量（濃度）、および出力する期間（出力開始時間および出力終了時間）に関する情報などを含む。ただし、開始時間および終了時間は、香り付きコンテンツの再生開始（先頭）からの絶対時間で指定される。
【００８４】
また、メモリ１３０のデータベース領域１３８には、各デバイスＩＤ毎に、図１８のものと同様のデータ形式のカートリッジ‐ポート番号テーブル１４０が記憶される。
【００８５】
情報処理装置４がサーバ２にログイン（アクセス）すると、香り付きコンテンツ推薦プログラム１３４に従って、サーバ２のコンピュータまたはプロセサ（図示せず）が図１９の動作を実行する。ただし、以下の説明では、便宜上、サーバ２が図１９の各ステップを実行するように記述する。また、サーバ２に情報処理装置４がログインしたとき、通常の認証動作が実行されるが、ここでは説明を省略する。
【００８６】
情報処理装置４がサーバ２にログインしたとき、情報処理装置４は、先の図１６に示す動作に従って更新したカートリッジ‐ポート番号テーブル１１４を、その情報処理装置４に接続されている嗅覚ディスプレイ１０のデバイスＩＤとともに、サーバ２に送る。このカートリッジ‐ポート番号テーブル１１４がステップＳ１９において、サーバ２に取得される。サーバ２は、取得したカートリッジ‐ポート番号テーブル１１４に従って、メモリ１３０のデータベース領域１３８に記憶している該当するデバイスＩＤのカートリッジ‐ポート番号テーブル１４０を更新する。ただし、情報該当するデバイスＩＤのカートリッジ‐ポート番号テーブル１４０がデータベース領域１３８に記憶されていないときには、サーバ２は、ログイン時に情報処理装置４から送信されたカートリッジ‐ポート番号テーブル１１４をカートリッジ‐ポート番号テーブル１４０として新たに記憶する。
【００８７】
そして、サーバ２はステップＳ２１で、情報処理装置４から香り付きコンテンツの推薦要求があったかどうか判断する。“ＮＯ”なら、他の処理を実行し、“ＹＥＳ”なら、次のステップＳ２３に進む。
【００８８】
サーバ２は、ステップＳ２３において、ステップＳ１９で更新したカートリッジ‐ポート番号テーブル１４０を参照して、そのデバイスＩＤで示される嗅覚ディスプレイ１０を付設した情報処理装置４へ推薦できる香り付きコンテンツがあるかどうか、コンテンツデータベース（図示せず）から探索する。
【００８９】
具体的には、サーバ２は、ステップＳ１９で更新したカートリッジ‐ポート番号テーブル１４０に基づいて、そのデバイスＩＤが示す嗅覚ディスプレイ１０における現在のポート番号とアロマコードとの対応関係（カートリッジの使用状況）を知る。つまり、サーバ２は、アロマコードを検出することによって、そのとき嗅覚ディスプレイ１０にどのようなカートリッジが装着されているかを知ることができる。
【００９０】
そして、サーバ２は、それらのアロマコードのうち少なくとも１つを香り情報として有する香り付きコンテンツを探す。つまり、ログインしてきた情報処理装置４に付設してある嗅覚ディスプレイ１０の中のカートリッジのアロマコードと、コンテンツが有するアロマコードの少なくとも１つが一致すれば、一致するアロマコードを有するすべてのコンテンツが、推薦可能コンテンツとして探索される。つまり、ステップＳ２３で“ＹＥＳ”が判断される。
【００９１】
ただし、香り付きコンテンツを正しく再生するためにはできるだけ多くのアロマコードが一致するのが望ましいので、ステップＳ２５では、一致するアロマコードの数が多い順番で順位をつけて、情報処理装置４へ通知する。したがって、情報処理装置４では、サーバ２が推薦した香り付きコンテンツの中から所望のものを選んで、有料または無料で、所望の香り付コンテンツを再生することができる。
【００９２】
また、カートリッジ‐ポート番号テーブル１４０に記述されているアロマコードと一致するアロマコードを持つ香り付きコンテンツがない場合、つまり、推薦できる香り付きコンテンツがない場合には、サーバ２は、推薦できる香り付きコンテンツがない旨のメッセージを、ログインしてきた情報処理装置４に対して返送することになる（ステップＳ２７）。
【００９３】
この実施例によれば、サーバ２にログインした情報処理装置４に付属する嗅覚ディスプレイ１０のそのときのカートリッジとポート番号との対応関係、すなわち嗅覚ディスプレイ１０のカートリッジの使用状況をサーバ２が知ることができるので、そのときの嗅覚ディスプレイ１０で確実に再生できる香り付きコンテンツを推薦することができる。このとき、嗅覚ディスプレイの各ポートにどのカートリッジが収容されているかを機械的にまたは電気的に読み取る装置を設ける必要がないので、嗅覚ディスプレイやカートリッジを複雑にしたり、高価にしたりすることがない。
上述の実施例では、サーバ２がログインしてきた情報処理装置４に付設されている嗅覚ディスプレイ１０のカートリッジとポート番号との対応関係を知るために、サーバ２にログインした情報処理装置４からカートリッジ‐ポート番号テーブル１１４をアップロードするようにしたが、情報処理装置４からカートリッジ‐ポート番号テーブル１１４をアップロードするタイミングは、必ずしもログイン時に限られるものではなく、サーバ２が推薦すべきコンテンツを探索する前（図１９の実施例ではステップＳ２３より前）であればいつでもよい。
【００９４】
また、サーバ２の送信要求に応答して情報処理装置４がサーバ２にカートリッジ‐ポート番号テーブル１１４を送信するようにしてもよい。つまり、サーバ２は必要なとき、情報処理装置４に対して、カートリッジ‐ポート番号テーブル１１４を送信するように要求することができる。
【００９５】
さらに、サーバ２にログインした情報処理装置４からカートリッジ‐ポート番号テーブル１１４をアップロードするようにしたが、サーバ２自身が図１５のようなＧＵＩを表示して、ユーザに直接入力（登録）させるようにしてもよい。
【００９６】
なお、上述の施例では、アロマコードは、それぞれの香源毎に個別に設定するようにしているが、香源のグループ毎にアロマコードを割り当ててもよい。一例として、みかん、オレンジなど柑橘系の香源には同じアロマコードが割り当てられ得る。ただし、同じアロマコードをどの分類で付与するかは任意である。
【００９７】
また、上述の実施例では、サーバ２は、カートリッジ‐ポート番号テーブル１４０を参考にして情報処理装置４に推薦できる香り付きコンテンツを探したが、ユーザのカートリッジ使用履歴に基づいて、推薦する香り付きコンテンツを検索するようにしてもよい。すなわち、過去に使用した香源は今もその嗅覚ディスプレイ１０に装填されている可能性が高いので、その嗅覚ディスプレイ１０での香源の過去の使用履歴に基づいて香り付きコンテンツを推薦しても、そのときの嗅覚ディスプレイによって正しく再生できる可能性が高い。なお、この場合には、サーバ２は、管理情報として図１８のようなカートリッジ‐ポート番号テーブル１１４（１４０）とともに、あるいはそれに代えて、各嗅覚ディスプレイでの香源の使用履歴、すなわち嗅覚ディスプレイにおける過去のカートリッジの使用状況を、たとえばアロマコードで記憶する。
【００９８】
また、先に説明したように、２つ以上のカートリッジの風力源を同時にまたは時間的にずらせて駆動することによって嗅覚ディスプレイ１０で調香が可能な場合には、一致するアロマコードがなくても、つまり調香できる２つ以上のアロマコードを含んでいれば、その２つ以上のアロマコードに基づいて推薦できる香り付きコンテンツを探索して推薦することもできる。
【００９９】
なお、情報処理装置４が付属の嗅覚ディスプレイ１０からどのようにして香りを出力させるかはこの発明の主題ではないが、一例として、図２１のような動作が考えられる。ただし、図２１の動作は、情報処理装置４のメモリ１００に予め設定されている噴射プログラム（図示せず）ら従って実行される。
【０１００】
なお、サーバ２が推薦する香り付きコンテンツを再生する場合、情報処理装置４は、香り付きコンテンツの中で指定されている香り情報が示す香り出力タイミングになったとき、噴射プログラムに従って図２１に示す動作を実行することによって、香り付きコンテンツの香り情報が指定するタイミングで、付属の嗅覚ディスプレイ１０から香りを出力することができる。
【０１０１】
たとえば、コンテンツに含まれる香り情報は、上述のように、提示すべき香りのアロマコード、発生させたい香りの量（濃度）、および提示する期間（提示開始時間および提示終了時間）に関する情報などを含む。そして、情報処理装置４がカートリッジ‐ポート番号テーブル１１４に基づいて、該当するアロマコードが示す香り成分を有するカートリッジが嗅覚ディスプレイ１０のどのポートに装着されているかを判断することによって、嗅覚ディスプレイ１０からそのアロマコードで指定された香りを出力させるのである。
【０１０２】
具体的には、図２１の最初のステップＳ１０１において、情報処理装置４は、香り情報を取得する。香り情報は、上述のように、発生させたい香りに対応するアロマコードと、噴射する強さ（圧電素子５６に印加する電圧の大きさ、圧電素子５６を駆動するパルスのパターンなど）を表すデータを含み、香り付きコンテンツで指定される。
【０１０３】
ステップＳ１０３においては、ステップＳ１０１において取得した香り情報に含まれるアロマコードに相当する香源を有するカートリッジをカートリッジ‐ポート番号テーブル１１４を参照して検索し、ステップＳ１０５において、アロマコードと一致するカートリッジが装填されているかどうか判断する。
【０１０４】
ステップＳ１０５で“ＹＥＳ”を判断したとき、情報処理装置４は、該当するポート番号が示すカートリッジ収容室２４の風力源２６や補助風力源７６を、噴射データ（電圧、パルスパターンなど）に従って駆動するための信号を嗅覚ディスプレイ１０へ付与する。応じて、噴出口１６からそのアロマコードが示す香源の香りが、指定した強さで噴射される。
【０１０５】
ただし、アロマコードと一致するカートリッジがそのときの嗅覚ディスプレイ１０に装填されていないときには、そのまま図１９処理を終了する。
【０１０６】
上述のように、サーバ２は香り付きコンテンツ中で指定されているアロマコードとそのときの嗅覚ディスプレイ１０に装着されている少なくとも１つのカートリッジのアロマコードが一致すれば、当該香り付きコンテンツを提供可能コンテンツとして情報処理装置４に推薦することもあるので、香り付きコンテンツが指定するすべてのタイミング、つまり出力期間（出力開始時間および出力終了時間）でアロマコードが一致するという訳ではなく、時には、一致するアロマコードのカートリッジが嗅覚ディスプレイに装填されていないこともある。その場合には、ステップＳ１０５で“ＮＯ”が判断され、図２１の処理はそのまま終了する。したがって、この場合には、香り付きコンテンツでは香りの発生を指示されているけれども、嗅覚ディスプレイ１０からは何も香りが出力されることはない。
【０１０７】
サーバ２はデバイスＩＤ毎にカートリッジ‐ポート番号テーブル１４０を記憶しておき、それを参照することによって推薦できる香り付きコンテンツを探して情報処理装置４へ伝え、他方で情報処理装置４はサーバ２が推薦した香り付きコンテンツを選択しているので、香り付きコンテンツを情報処理装置４が嗅覚ディスプレイ１０とともに再生するときには少なくとも１回は嗅覚ディスプレイ１０から香りが出力されるはずである。
【０１０８】
なお、図２１の実施例では、嗅覚ディスプレイ１０が実装しているカートリッジのアロマコードとカートリッジ‐ポート番号テーブル１１４が示すアロマコードとが一致した場合にについて説明したが、先に説明したように、２つ以上のカートリッジから香り成分を噴射させることによって調香させて、類似の香りを出力することもできる。
【０１０９】
さらに、上述の実施例では、カートリッジ‐ポート番号テーブル１１４を用いたが、このカートリッジ‐ポート番号テーブル１１４は省略することができる。なぜなら、香り付きコンテンツの推薦のためには、ユーザの手元にある嗅覚ディスプレイに装着されているカートリッジの種類（アロマコード）を示す情報だけがあればよいからである。
【０１１０】
香り付きコンテンツの推薦に際して、カートリッジ‐ポート番号テーブル１１４を用いない場合、情報処理装置４１‐4ｎからサーバ２にはカートリッジ‐ポート番号テーブル１１４ではなく、カートリッジの種類（アロマコード）だけを送ればよい。カートリッジの種類（アロマコード）を示すデータとして、具体的には、デバイス情報テーブル１１２を送る。この場合、サーバ２のメモリ１３０のデータベース領域１３８には、カートリッジ‐ポート番号テーブル１１４ではなく、デバイス情報テーブル１１２が記憶されることになる。そして、ステップＳ１０３においては、ステップＳ１０１において取得した香り情報に含まれるアロマコードに相当する香源を有するカートリッジをデバイス情報テーブル１１２を参照して検索し、ステップＳ１０５において、アロマコードと一致するカートリッジが装填されているかどうか判断することになる。
【０１１１】
なお、上で挙げたカートリッジ収容室の数などの具体的数値は単なる一例であり、製品の仕様などの必要に応じて適宜変更可能である。
【符号の説明】
【０１１２】
１  …コンテンツ推薦システム
２  …サーバ（コンテンツ推薦装置）
４  …情報処理装置
５  …視聴覚ディスプレイ
１０  …嗅覚ディスプレイ
１２  …筐体
２４  …カートリッジ収容室
３６  …風力源
７６  …補助風力源
１１２  …デバイス情報テーブル
１１６  …カートリッジ名入力ＧＵＩ
【図１】
2015125580.tif 000003
【図２】
2015125580.tif 000004
【図３】
2015125580.tif 000005
【図４】
2015125580.tif 000006
【図５】
2015125580.tif 000007
【図６】
2015125580.tif 000008
【図７】
2015125580.tif 000009
【図８】
2015125580.tif 000010
【図９】
2015125580.tif 000011
【図１０】
2015125580.tif 000012
【図１１】
2015125580.tif 000013
【図１２】
2015125580.tif 000014
【図１３】
2015125580.tif 000015
【図１４】
2015125580.tif 000016
【図１５】
2015125580.tif 000017
【図１６】
2015125580.tif 000018
【図１７】
2015125580.tif 000019
【図１８】
2015125580.tif 000020
【図１９】
2015125580.tif 000021
【図２０】
2015125580.tif 000022
【図２１】
2015125580.tif 000023